(57)【要約】  本開示は、ユーザ機器と、基地局と、通信システムにおいてユーザ機器および基地局によって実施されるデータの送受信方法と、に関する。このユーザ機器には、動作中に、ページング周期内でページングオケージョンを受信するための既定の時間領域パターンを構成するための少なくとも１つのパラメータを含むページングオケージョン構成を基地局から受信し、且つ、この受信されたページングオケージョン構成に従って構成された既定の時間領域パターン内のページングオケージョン内のページング信号の受信を実施する回路が備えられている。
2021518074.tif 000002
【特許請求の範囲】
【請求項１】
通信システムにおいて基地局との間でデータを送信および／または受信するためのユーザ機器であって、
動作中に、
ページング周期内でページングオケージョンを受信するための既定の時間領域パターンを構成するための少なくとも１つのパラメータを含むページングオケージョン構成を前記基地局から受信し、
前記受信されたページングオケージョン構成に従って構成された前記既定の時間領域パターン内の前記ページングオケージョン内のページング信号の受信を実施する、処理回路、
を備えた前記ユーザ機器。
【請求項２】
前記既定の時間領域パターンが、前記ページングオケージョンが前記ページング周期内の通常のラスタ内にのみ存在できることを規定し、
前記ページングオケージョン構成が、前記ページングオケージョンの受信が実施されるべきラスタ位置を示している、
請求項１に記載のユーザ機器。
【請求項３】
前記ページングオケージョン構成が、
（ｉ）既定の複数のラスタの１つと、
（ｉｉ）各１つのラスタタイムポイントについてのそれぞれ１つのビットによって、ページングオケージョンが前記ラスタタイムポイントに含まれているか否かを示しているビットマップと、
（ｉｉｉ）前記ページング周期内のラスタポイント数よりも短いショートビットマップであり、周期的に繰り返されると、各１つのラスタタイムポイントについてのそれぞれ１つのビットによって、ページングオケージョンが前記ラスタタイムポイントに含まれているか否かを示している前記ショートビットマップと、
のうちの少なくとも１つを示している、
請求項１または２に記載のユーザ機器。
【請求項４】
前記ラスタタイムポイントが、構成可能な前記ページングオケージョンが同期信号ブロックとオーバーラップしないような、前記ページング周期内の位置において定義される、
請求項１から３のいずれか一項に記載のユーザ機器。
【請求項５】
前記既定の時間領域パターンが、前記ページングオケージョンが前記ページング周期内の均一に分布させられた時間区間内で受信されることを規定しており、
前記ページングオケージョン構成が、前記均一に分布させられた時間区間の周期性を示している、
請求項１に記載のユーザ機器。
【請求項６】
前記周期性が、前記受信されたページングオケージョン構成において、前記ページング周期内のページングオケージョン数として規定されている、
請求項５に記載のユーザ機器。
【請求項７】
前記ページングオケージョンが、同期信号ブロックが送信される周波数サブバンドとオーバーラップしない周波数サブバンド内で送信される、
請求項５または６に記載のユーザ機器。
【請求項８】
動作中の前記処理回路が、前記ユーザ機器に固有のページングオケージョン計算に従って、および／または、前記基地局において設定されたビームスウィープ構成に従って、さらに構成される前記ページングオケージョン内における前記ページング信号の受信を実施する、
請求項１から７のいずれか一項に記載のユーザ機器。
【請求項９】
前記ページングオケージョン構成が、ブロードキャストチャネル内において前記基地局によってシグナリングされ、前記ページング周期の開始に対して相対的にオフセットを含んでいる、
請求項１から８のいずれか一項に記載のユーザ機器。
【請求項１０】
通信システムにおいてユーザ機器との間でデータを送信および／または受信するための基地局であって、
動作中に、
ページング周期内でページングオケージョンを受信するための既定の時間領域パターンを構成するための少なくとも１つのパラメータを含むページングオケージョン構成を前記ユーザ機器に送信し、
前記受信されるページングオケージョン構成に従って構成された前記既定の時間領域パターン内の１つ又は複数の前記ページングオケージョンにおいてページング信号を送信する、処理回路、
を備えた前記基地局。
【請求項１１】
前記既定の時間領域パターンが、前記ページングオケージョンが前記ページング周期内の通常のラスタ内にのみ存在できることを規定し、
前記ページングオケージョン構成が、前記ページングオケージョンの受信が実施されるべきラスタ位置を示している、
請求項１０に記載の基地局。
【請求項１２】
前記ページングオケージョン構成が、
（ｉ）既定の複数のラスタの１つと、
（ｉｉ）各１つのラスタタイムポイントについてのそれぞれ１つのビットによって、ページングオケージョンが前記ラスタタイムポイントに含まれているか否かを示しているビットマップと、
（ｉｉｉ）前記ページング周期内のラスタポイント数よりも短いショートビットマップであり、周期的に繰り返されると、各１つのラスタタイムポイントについてのそれぞれ１つのビットによって、ページングオケージョンが前記ラスタタイムポイントに含まれているか否かを示している前記ショートビットマップと、
のうちの少なくとも１つを示している、
請求項１０または１１に記載の基地局。
【請求項１３】
前記ラスタタイムポイントが、構成可能な前記ページングオケージョンが同期信号ブロックとオーバーラップしないような、前記ページング周期内の位置において定義される、
請求項１０から１２のいずれか一項に記載の基地局。
【請求項１４】
前記既定の時間領域パターンが、前記ページングオケージョンが前記ページング周期内の均一に分布させられた時間区間内で送信されることを規定しており、
前記ページングオケージョン構成が、前記均一に分布させられた時間区間の周期性を示している、
請求項１０に記載の基地局。
【請求項１５】
前記周期性が、前記送信されるページングオケージョン構成において、前記ページング周期内のページングオケージョン数として規定されている、
請求項１４に記載の基地局。
【請求項１６】
前記ページングオケージョンが、同期信号ブロックが送信される周波数サブバンドとオーバーラップしない周波数サブバンド内で送信される、
請求項１４または１５に記載の基地局。
【請求項１７】
動作中の前記処理回路が、前記ユーザ機器に固有のページングオケージョン計算に従って、および／または、前記基地局において設定されたビームスウィープ構成に従って、さらに構成される前記ページングオケージョン内において前記ページング信号を送信する、
請求項１０から１６のいずれか一項に記載の基地局。
【請求項１８】
前記ページングオケージョン構成が、ブロードキャストチャネル内において前記基地局によってシグナリングされ、前記ページング周期の開始に対して相対的にオフセットを含んでいる、
請求項１０から１７のいずれか一項に記載の基地局。
【請求項１９】
通信システムにおいて基地局との間でデータを送信および／または受信するための方法であって、且つ、ユーザ機器において実施されるべき方法であって、
ページング周期内でページングオケージョンを受信するための既定の時間領域パターンを構成するための少なくとも１つのパラメータを含むページングオケージョン構成を前記基地局から受信するステップと、
前記受信されたページングオケージョン構成に従って構成された前記既定の時間領域パターン内の前記ページングオケージョン内のページング信号の受信を実施するステップと、
を備えた方法。
【請求項２０】
通信システムにおいてユーザ機器との間でデータを送信および／または受信するための方法であって、且つ、基地局において実施されるべき方法であって、
ページング周期内でページングオケージョンを受信するための既定の時間領域パターンを構成するための少なくとも１つのパラメータを含むページングオケージョン構成を前記ユーザ機器に送信するステップと、
前記受信されるページングオケージョン構成に従って構成された前記既定の時間領域パターン内の１つ又は複数の前記ページングオケージョンにおいてページング信号を送信するステップと、
を備えた方法。
【発明の詳細な説明】
【技術分野】
【０００１】
本開示は、通信システムにおけるユーザ機器のページングに関する。
【背景技術】
【０００２】
新無線（ＮＲ：New Radio）は、５Ｇの候補となる技術として国際電気通信連合（International Telecommunications Union）に提出すべく、第３世代パートナーシッププロジェクト（３ＧＰＰ：3rd Generation Partnership Project）が開発を進めている技術である。ＮＲの非常に注目すべき態様の１つは、ビームフォーミング（非特許文献１参照）を使用したオペレーションを考慮して設計が進められており、ビームフォーミングは、特に高い周波数帯域において有用である。一般的に、ビームフォーミングは、所与の無線送信のエネルギを特定の方向に集中させることを可能にし、その結果、レンジ（range）を拡張して、例えば、高い周波数における高い伝搬損失を補償できる。５Ｇは、より多くのスペクトルが利用可能な高い周波数で稼働することが期待されているので、ビームフォーミングのオペレーションは、ＮＲにおいて重要である。
【先行技術文献】
【非特許文献】
【０００３】
【非特許文献１】Dahlman et al. “4G, LTE-Advanced Pro and The Road to 5G”, 3rd Ed. Elsevier. 2016
【非特許文献２】RP-171418 - “Revision of WI: New Radio Access Technology”, S. Y. Lien, S. L. Shieh, Y. Huang, B. Su, Y. L. Hsu and H. Y. Wei, "5G New Radio: Waveform, Frame Structure, Multiple Access, and Initial Access," in IEEE Communications Magazine, vol. 55, no. 6, pp. 64-71, 2017
【発明の概要】
【０００４】
非限定的で代表的な一実施形態によって、ユーザ装置によるページングメッセージの効率的なモニタリングが容易になる。
【０００５】
ここに開示する技術は、一般的な一態様において、通信システムにおいて基地局との間でデータを送信および／または受信するためのユーザ機器であって、動作中に、ページング周期内でページングオケージョンを受信するための既定の時間領域パターンを構成するための少なくとも１つのパラメータを含むページングオケージョン構成を基地局から受信し、受信されたページングオケージョン構成に従って構成された既定の時間領域パターン内のページングオケージョン内のページング信号の受信を実施する回路を備えたユーザ機器を提供する。
【０００６】
なお、一般的な実施形態または特定の実施形態は、システム、方法、集積回路、コンピュータプログラム、記憶媒体、またはこれらの任意の選択的な組合せとして、実施できることに留意されたい。
【０００７】
開示されている実施形態のさらなる恩恵および利点は、本明細書および図面から明らかになるであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【図面の簡単な説明】
【０００８】
【図１】リソース内における同期ブロックの割り当ての概略図である。
【図２】基地局によって実施されるビームフォーミングの説明図である。
【図３Ａ】ページングオケージョン用のスロットの説明図である。
【図３Ｂ】ページングＣＯＲＥＳＥＴで満たされたページングオケージョン用のスロットの説明図である。
【図４】相異なるＮＲニューメロロジーとそれらに対応するＳＳＢとの概略的な説明図である。
【図５】相異なる多重化パターンを例示する概略図である。
【図６】第１のハーフフレームへのＳＳＢマッピングの概略的な説明図である。
【図７】相異なるニューメロロジーについての、ＲＭＳＩ ＣＯＲＥＳＥＴのシンボルにおける持続時間とそれぞれの多重化パターンとの間の関係を例示する表である。
【図８】ＮＲについての、周波数帯域と同期信号長とニューメロロジーとの間の関係を例示する表である。
【図９】ユーザ機器の一例と基地局の一例とを例示するブロック図である。
【図１０】ＰＯの位置についての、すなわち、ラスタ上の位置と均一に分布させられた位置とについての既定のパターンを例示する概略図である。
【図１１】ページング周期内のラスタ上のＰＯの位置を例示する概略図である。
【図１２】ページング周期内のラスタ上のＰＯの位置を例示する概略図である。
【図１３】ページング周期全体にわたって均一に分布させられたＰＯの位置を例示する概略図である。
【図１４】ＰＯの配置の構成を例示する概略図である。
【発明を実施するための形態】
【０００９】
ビームフォーミングのオペレーションをサポートするために、とりわけ、時間／周波数の同期化やページングなどのような機能を含む、ＮＲのいくつかの態様を再設計する必要がある。本開示は、ＮＲにおけるページング設計に関するものである。
【００１０】
モバイルセルラーシステムにおける（また、同様にＮＲにおける）重要な機能はページングメカニズムであり、これによって、ネットワークは、着信トラフィック（音声通話またはデータ）についてＵＥの位置を特定する。アンテナビームは、レンジ（互に通信する基地局とユーザ機器との距離）をより長くするが、そのカバレッジは、従来の３セクショナルセル（tri-sectional cell）よりも狭い。ページングは１つのセル（または１グループのセル）内でＵＥの居場所を突き止めることに関するものであるから、ページングのオペレーションをＮＲにおけるビームスウィープのオペレーションに適合化する必要がある。したがって、ＬＴＥ由来の一部の設計原理はＮＲに継承できるが、例えばページングオケージョンの定義やページングオケージョンのリソース割り当てなどの他の概念は適合化する必要がある。
【００１１】
セルラーシステムの場合、ページングは、１つのメカニズムであり、このメカニズムによって、ネットワークが、数個のセルから構成されていることもあるトラッキングエリア（tracking area）と呼ばれる所与の地理的領域内で、（ＩＤＬＥモードにある）ユーザ装置（User Equipment）、すなわち、ＵＥの位置を特定して、接続セットアップを開始する。ネットワークは、ページング対象のＵＥの正確な地理的位置を知らないので、ページング対象のＵＥが確実に見つかるように、ビームフォーミングされたページングメッセージ（ＮＲにおいて使用される）を相異なる時点（time instant）において相異なる方向に送信する必要がある。ここで、「ネットワーク」という用語は、主に、ＵＥが無線インタフェースを介して通信する基地局（ＮＲにおいてｇＮＢとも呼ばれる）を意味しており、この基地局はネットワークの残りの部分に接続されている。ＵＥは、例えば、携帯電話、スマートフォン、タブレット、ラップトップ、ＰＣ、または他の任意の機器のような端末において実施される任意の移動局である。
【００１２】
留意すべき点として、本開示のページング設計は、ＮＲにおける２つのモード、すなわち、ＲＲＣ＿ＩＤＬＥ状態およびＲＲＣ＿ＩＮＡＣＴＩＶＥ状態に適用され得る。これらは、一般にＩＤＬＥモードおよびＩＮＡＣＴＩＶＥモードと呼ばれている。これらのモードは、３ＧＰＰ ＴＳ ３８.３０４ ｖ０.１.２（２０１８-０２）に従えば、ＵＥがＮＲセルにキャンプオン（camp on）しているとき、およびＵＥが、キャンプオンすべきセルを探しているとき、に当てはまる。ＵＥがセルにキャンプオンしているとは、ＵＥがセル選択／再選択プロセスを完了してセルを選択した状態のことである。ＵＥは、これらの状態において、システム情報と（ほとんどの場合に）ページング情報とをモニタしている。ＲＲＣ_ＩＤＬＥ状態とＲＲＣ_ＩＮＡＣＴＩＶＥ状態のタスクは、３つのプロセス、すなわち、ＰＬＭＮの選択と、セルの選択および再選択と、位置登録およびＲＮＡアップデートと、に細分できる。セルの選択は、ＲＲＣ_ＩＤＬＥ状態にのみ適用できる。
【００１３】
しかしながら、本開示は、単にこれらの特定のＮＲ状態には限定されない。本開示は、一般的に、セルのブロードキャストチャネルおよびページングチャネルがモニタされる任意のＵＥ状態に適用できる。これは、通常、（ＮＲにおいてだけではなく、ＬＴＥまたは他のシステムにおいても）ＵＥと基地局との間に、現在、データベアラが構成されておらず、ペンディング（pending）の通信がない場合に当てはまる。ＵＥと基地局との間でデータおよびシグナリングの交換がある場合、制御情報もまた、そのようなリンクを介して、すなわち、ページングチャネルをモニタするよりも速く、送信され得る。以下、ＩＤＬＥ_ＭＯＤＥに言及する場合、それは、例えば上述のＮＲのモードのような任意のアイドルモードを意味している。したがって、ＩＤＬＥ ＵＥは、ＩＤＬＥ_ＭＯＤＥの状態にある任意のＵＥである。
【００１４】
全体的なページングの設計とオペレーションには、相互に関連する２つの課題がある。
【００１５】
１）ＰＯ構造の設計
これは、各々の個別のページングオケージョンの長さと構成とを決定することに関する。ＬＴＥにおいて、ＰＯの概念は、所与のＵＥがページングのダウンリンク制御情報（Downlink Control Information（ＤＣＩ））をモニタする必要があるページングのフレームとサブフレームの両方を意味する。ＮＲにおいては、ＰＯは、ページング信号の完全なビームスウィープを割り当てることができるような持続期間を有する１つ又は複数のスロットから構成されることが合意されている。実際、各々のＰＯには、各々のＳＳＢに関連付けられた（および、疑似コロケーションされた（quasi-colocated））ＣＯＲＥＳＥＴが１つ含まれている必要がある。したがって、セル内のビーム数が可変であると、ＰＯの長さは、同じく可変であり、同期ブロック（Synchronization Signal Block（ＳＳＢ））の最大数、すなわち、パラメータＬに依存し、このパラメータＬは、ニューメロロジー（numerology）、あるいは、実際に送信されるＳＳＢの個数、例えば変数Ｌ′（≦Ｌ）に依存する。さらに、所与のＬに対して、いくつかのアプローチを取ることも可能である。例えば、特定のＬ固有の長さは、ＳＳＢが送信されない時間位置におけるＰＯ内のブランク（blank）を可能にする、あるいは、実際に送信されるＳＳＢの数（Ｌ′）に直接依存する長さを使用する。いずれにせよ、可変長のＰＯをＮＲにおいて考慮する必要があり、したがって、次の課題であるＰＯの割り当てにおいては、この要素を考慮に入れる必要がある。
【００１６】
２）ＰＯの割り当て
これは、システムのページング周期内における相異なるＰＯの割り当てに関するものである。ＬＴＥにおいて、システムのページング周期はシステム情報として示され、これは、ＵＥ固有の構成（ＵＥ固有のＤＲＸ周期）が提供されない限り、ＵＥによってデフォルトとして想定される。次に、ＵＥは、モッドタイプ（mod-type）のオペレーションによって、相異なるＰＯの間で分布させられるが、ＰＯの数は、ページング負荷に依存し、変更できる。同じ原理がＮＲにも適用されるが、いくつかの重要な違いがある。ページングＣＯＲＥＳＥＴは、ＲＭＳＩ ＣＯＲＥＳＥＴと同じ構成を再利用することで合意されており、これは、少なくともＲＲＣ_ＩＤＬＥについてのページングＣＯＲＥＳＥＴが最初のアクティブダウンリンク帯域幅部分（initial active downlink bandwidth part（ＩＡＤ_ＢＰ））内で送信されることを意味している。この帯域幅部分は、ＳＳＢが送信される帯域幅とオーバーラップする場合とオーバーラップしない場合があり、したがって、ＣＯＲＥＳＥＴとＳＳＢとの間での（そして、相異なるＣＯＲＥＳＥＴの間での）衝突を回避する必要がある。全体として、ＰＯ割り当てストラテジは、ＳＳＢ-ＣＯＲＥＳＥＴ多重化パターン（パターン１、２、または３、[３]を参照）、ＳＳＢ周期など、その他のいくつかのセル固有の構成に適用と適応できるほど柔軟である必要がある。概して述べると、ＰＯの割り当てのストラテジ（strategy）は、例えばＳＳＢ-ＣＯＲＥＳＥＴ多重化パターン（パターン１、２または３、[３]を参照）、あるいは、ＳＳＢの周期性のような他のいくつかのセル固有の構成に適用および適合化できるほど十分に柔軟である必要がある。
【００１７】
ＵＥに時間と周波数の基準を提供する同期信号についても同様の動作が既に合意されており、すなわち、これらの信号は、ＵＥがいわゆる同期信号ブロック（Synchronization Signal Block（ＳＳＢ））から時間−周波数基準とその他のいくつかの情報とを取得した後にシステムにアクセスできるように、セル内でビームスイープされる（すなわち、相異なる時点において相異なるビームで送信される）。
【００１８】
「事前同期（pre-synchronization）」という用語は、一部の標準化会議で議論された設計原理を意味している。特に、ＩＤＬＥ_ＭＯＤＥの状態で高速に移動するＵＥについては、ページングオケージョンを受信して復号することを試みる前に、同期ブロックを受信することが望ましい、あるいは、必要でさえある。ＵＥは高速で移動しているので、時間と周波数の基準が劣化する可能性があり、したがって、ＩＤＬＥ ＵＥは、ページングを受信する前に「更新（update）」（再同期（re-sync））する必要がある。したがって、ＳＳＢの後にＰＯを取得することが正に望ましい。
【００１９】
したがって、ＳＳＢとページング信号が同様の動きを呈する、すなわち、両者ともビームスイープされる必要があるので、特定の関連付け又は関係を利用できることが期待される。ＳＳＢは、時間領域における所定数のシンボル、例えば４つのシンボルと、所定数のサブキャリアまたは物理リソースブロックと、から構成されるリソースのブロックである。シンボルおよび／またはサブキャリアまたは物理リソースブロックの数は、規格において定義されてもよく、あるいは、システムリソースにおいて構成可能であってもよい。ＳＳＢは、プライマリ同期信号（Primary Synchronization Signal（ＰＳＳ））、セカンダリ同期信号（Secondary Synchronization Signal（ＳＳＳ））および物理ブロードキャストチャネル（Physical Broadcast Channel（ＰＢＣＨ））を搬送してもよい。
【００２０】
ＬＴＥと比較して、ＮＲにおける基本的な変更点の１つは、ビームスウィープのオペレーションのために、ＯＦＤＭシンボルまたはスロットに関しての長さが一定ではないことであり、その理由は、ＰＯには、同期ブロック（ビーム）と同程度の数のページング構成リソースセット（paging COnfiguration REsource SET（ＣＯＲＥＳＥＴ））が収容される必要があるからである。さらに、ページングＣＯＲＥＳＥＴ（および、残りの最小システム情報（Remaining Minimum System Information）、すなわち、ＲＭＳＩとその他のシステム情報（Other System Information）、すなわち、ＯＳＩ）は、最初のアクティブダウンリンク帯域幅部分（Initial Active Downlink Bandwidth Part（ＩＡＤ_ＢＰ））と呼ばれる特定の個別の帯域幅部分内に閉じ込められる。同期ブロックに使用される帯域幅は、ＩＡＤ_ＢＰとオーバーラップする場合とオーバーラップしない場合がある。オーバーラップする場合、一般的に、衝突は許されない。したがって、ページングオケージョンの割り当ての課題、すなわち、ページングＣＯＲＥＳＥＴについての時間と周波数のリソースを決定する課題は些細なものではなく、ＮＲについての統一されたフレームワーク（すなわち、すべての関連する、ページングに影響する構成に適用可能なフレームワーク）が推奨される。
【００２１】
本開示は、ｇＮＢが、例えば、ＳＳＢの数、多重化パターン、システムのニューメロロジーなどのような、オペレータに定義されるその他の構成を考慮してＰＯを柔軟に割り当てることができるようにする共通のフレームワークを提供することによって、前述の課題に取り組むいくつかのストラテジを提供する。また、この割り当てストラテジによって、必要な共通制御シグナリングオーバーヘッド（システム情報）を許容可能に維持しながら、そして、ＵＥ固有の構成が必要な場合を除いて追加のＵＥ固有のシグナリングを必要とすることなく、制御信号間の衝突を回避できる。
【００２２】
本開示は、ＮＲアクセステクノロジー（非特許文献２）について研究が進められている項目に関する。これは、「初期アクセス（initial access）」のフレームワークに関連している。初期アクセスには、とりわけ、同期信号とページング設計が含まれている。特に、一部の実施形態は、ＵＥ側でのページング受信をより効率的にするために、ページングメッセージをＮＲシステムのリソース内に埋め込むメカニズムを提供する。しかしながら、本開示は、ＮＲにおいて採用されることに限定されず、ＵＥをページングする必要があるその他のモバイルおよび／またはセルラー通信システムに容易に適用され得る。
【００２３】
下記の点は、先行するLong Term Evolution（ＬＴＥ）システムにおけるページングオペレーションを要約し、ＮＲとの類似点と相違点を強調している。
【００２４】
・ページングは、ＵＥがＩＤＬＥモードにあるときに、セットアップ接続を開始するためにトラッキングエリア内でＵＥの位置を特定するために使用される。したがって、ＬＴＥにおいて、ページングメッセージがトラッキングエリアの各セル内でブロードキャストされる。トラッキングエリアに基づくこのオペレーションは、ＮＲにおいても類似している。
【００２５】
・ＬＴＥにおいて、ページングメッセージを受信するために、データ送信と類似したメカニズムが使用される。すなわち、ＵＥは、最初に制御情報（物理層とＭＡＣ層を意味するレイヤ１／レイヤ２シグナリングを意味するＬ１／Ｌ２シグナリング）を受信してモニタし、どこで、いつ、実際のページングメッセージが送信されるかを知る。以下、このＬ１／Ｌ２シグナリングおよび実際のページングメッセージを、それぞれ、ページングＤＣＩ（Downlink Control Information：ダウンリンク制御情報）およびページングメッセージと呼ぶ。ＤＣＩは、Physical Downlink Control Channel（ＰＤＣＣＨ）で搬送される。この動作は、ＮＲにおいても、少なくともベースラインとして、採用されている。さらに、ＮＲの場合において、ページングＤＣＩは、一般的にＣＯＲＥＳＥＴと呼ばれる１セットのリソース内に含まれている。したがって、ＵＥは、ページングメッセージを受信するために、ページングＣＯＲＥＳＥＴの位置を特定して、このページングＣＯＲＥＳＥＴを受信する必要がある。換言すれば、ＣＯＲＥＳＥＴは、ＵＥがＰＤＣＣＨ（ＤＣＩ）受信をモニタする１セットの時間−周波数リソースである。
【００２６】
・ＬＴＥにおいて、ページングＤＣＩ／メッセージがトラッキングエリアのセル内でブロードキャストされるが、ＮＲにおいては、一般的にビームオペレーションがサポートされており、すなわち、ページングメッセージが、相異なるタイムスロットにおいて相異なる方向に送信される。
【００２７】
・ＬＴＥにおいてエネルギ効率の高いオペレーションを可能にするために、ＩＤＬＥモードのＵＥは、ほとんどの時間スリープしており、ページングされる可能性がある時にのみウェイクアップする。ＵＥがページングされ得るタイムインスタンス（time instance）は、ページングオケージョン（Paging Occasion）（ＰＯ）と呼ばれ、したがって、ページング周期が定義される。各々のＵＥは、既定の公式によって、ＵＥのＩＤとその他のパラメータを使用して、いつ（すなわち、ＰＯ（フレームとサブフレーム））ページングをモニタする必要があるかを特定する。以下、これをＰＯ計算と呼ぶ。ＮＲにおいては、いくつかの違いはあるが、同様の動作が期待される。また、複数のＵＥは、既定の公式を使用して、それらに対応するＰＯの時間位置を特定し、すなわち、１つのＵＥの観点から述べると、受信がそのＵＥによって実施されるページング周期内の複数のＰＯのうちの特定のＰＯを特定し、そのようなＰＯを定期的にモニタする。ビームスイープのオペレーションをサポートするために、ＰＯは、時間区間として定義され、この時間区間は、場合によっては（必要なすべてのビームが送信される）いくつかのタイムスロットから構成される。したがって、原則として、ＵＥは、ＰＯ区間全体の期間中にリッスンして、自己に関連するページングメッセージが送信されているか否かを確認する。
【００２８】
・ＬＴＥにおいて、ＰＯは、ページングＤＣＩが（予約ＩＤ（reserved ID）:Ｐ-ＲＮＴＩ、すなわちグループＩＤであるPaging Radio Network Temporary Identifierを使用して）送信される可能性のあるフレームとサブフレームを示している。ＮＲにおいて、このオペレーションは、より柔軟である。ページングＣＯＲＥＳＥＴは、スロット内の相異なるＯＦＤＭシンボル（以下、シンボルと呼ぶ）内で送信でき、その持続時間も可変であり、すなわち、ページングＣＯＲＥＳＥＴの持続時間は、１つまたは複数のシンボルにすることができる。したがって、モニタ対象のページングＣＯＲＥＳＥＴの正確な時間位置をＵＥに示すには、シンボルのレゾリューション（resolution）を備えた表示が必要である。スロットは、時間領域において１４個のシンボルから構成されている。ページングメッセージの詳細は、3GPP TS 36.331, Section 6.2.2, version f.1.0またはTS 38.331, v. 15.1.0において定義されている。ＮＲにおいても、ＬＴＥに類似した時間構造が採用されているが、違うニューメロロジーの使用により違いがある。１０ｍｓの（無線）フレームと１ｍｓのサブフレームとが保持されているが、フレーム内のスロット数は、ニューメロロジーに依存するため、１５ＫＨｚの場合ではサブフレーム毎に１スロット、３０ＫＨｚの場合ではサブフレーム毎に２スロットなどとなる。スロット毎のＯＦＤＭシンボルの数は、ニューメロロジーに関係なく同じ（１４）であるが、この点については、3GPP TS 38.211 V15.0.0 (８および９頁)を参照されたい。
【００２９】
換言すれば、ページングオケージョンは、ＵＥがｐａｇｉｎｇ-ＰＤＣＣＨ（タイプ２のＰＤＣＣＨとも呼ばれる）をモニタする１セットの（連続する又は分布させられた）スロットである。ＰＯは、ページング信号が送信される時間区間として定義されており、前述の如く、１つまたは複数のタイムスロットから構成されている。ページング信号には、ページングＤＣＩとページングメッセージが含まれている。上述の如く、ページングＤＣＩはタイプ２のＰＤＣＣＨで送信され、その構成は上位層のパラメータｐａｇｉｎｇ-ＳｅａｒｃｈＳｐａｃｅによって提供される（ここで上位層とはＲＲＣプロトコルを意味している）。ページングメッセージは、ＰＤＳＣＨを介して送信される。原則として、ページングＤＣＩとページングメッセージは、時分割多重化および／または周波数分割多重化され得る。
【００３０】
ページング周期は、例えばＬＴＥやＮＲのような３ＧＰＰ仕様の場合、不連続受信（discontinuous reception）（ＤＲＸ）周期とも呼ばれている。なお、一般的に、基地局がページングオケージョンを提供するページング周期（システムページング周期またはネットワークの観点からのページング周期と呼ばれる）は、特定の１つのＵＥが、ネットワークによって提供されるＰＯのうちの一部にアクセスする（一部についての受信を行う）ページング周期（ＵＥ固有のページング周期、あるいは、ＵＥの観点に従うページング周期とも呼ばれている）と異なる場合がある。本開示は、ＵＥページング周期にも対応し得るシステムページング周期に適用可能である。さらに、後述の如く、ＵＥ固有のページング周期がＵＥに提供される場合についての実施形態を提供する。
【００３１】
ＵＥの観点から見ると、それはＰＯを伴う１ピリオド（one period）であり、これが繰り返される。ＮＲについて具体的な値はまだ設定されていないが、任意の値で機能し得る本開示にとって、個々の値は重要ではない。最小のＤＲＸ周期は３２フレーム、すなわち３２０ｍｓであることが検討されている。ｅＮＢは、システム情報としてＵＥに通知されるデフォルトのシステムのページング周期とは異なるＵＥ固有のＤＲＸ周期を構成できる。
【００３２】
ＰＯについてのピリオド（ページング／ＤＲＸ周期）は、ＳＳＢ（ＴＳＳＢ）のピリオドに対応する場合と対応しない場合がある。ＴＳＳＢは、同期ブロックが送信される周期性である。この値は次の１セット、すなわち、{５,１０,２０,…,１６０} [ｍｓ] から選択されてもよく、２０ｍｓがすべての帯域についてのデフォルト値であるが、オペレータはこの値を調整できる。
【００３３】
ＰＯの数は、システムのページング周期内のＰＯの数（ＮＰＯ）を意味している。ｇＮＢは、ページング容量の要件に応じて、別の適切なＮＰＯを構成できる。したがって、ＰＯの数は、例えば、３２から１２８までの範囲になり得る。ＰＯ毎に最大１６個のＵＥをページングすることが可能である（実際の複数のＵＥのＩＤが１つのページングメッセージ内にある）。ページングオケージョンにおいて、Ｐ-ＲＮＴＩを含むページングＣＯＲＥＳＥＴが現れた場合、それは、ＵＥが復号する必要のあるページングメッセージがあることをＵＥに示している。そのページングメッセージがどのようであるか／どこにあるかは、スケジューリング事項である。ＵＥのＩＤを使用して相異なるＵＥのメッセージを区別しているのは、ページングメッセージ内においてである。
【００３４】
上述の如く、ページングオケージョン計算（Paging Occasion Calculation）（ＰＯＣ）は、１つのメカニズム（例えば、公式および／またはアルゴリズム）であり、このメカニズムによって、ＵＥは、自己が属するＰＯの序数を特定する。ＰＯＣに対するパラメータには、ＵＥのアイデンティティ（UE identity）（例えば、ＩＭＳＩ、すなわち、International Mobile Subscriber Identity）と、いくつかのシステムパラメータ（例えば、ＬＴＥにおけるページング周期毎のＰＯの数であり、ＮＲまたはその他のシステムにも適用され得るｎＢ）と、が含まれる場合がある。
【００３５】
ＮＲの重要な態様の１つは、ビームフォーミングベースのオペレーションについてのサポートである。セルラーシステムにおける重要な機能の１つは、信頼できる時間−周波数基準をＵＥに提供することである。ＬＴＥにおいて、この目的に使用される信号はセル内でブロードキャストされるが、ＮＲにおいては、この信号は、相異なる時点で相異なる方向に（相異なるビームで）送信される必要がある。したがって、ＵＥがシステムにアクセスできるようにするための時間−周波数基準と情報とを収容するＳＳＢが定義される。これらのＳＳＢがそれぞれ全方向に送信されるので、原則として、ＵＥは、それらの時間多重化されたＳＳＢの少なくとも１つをキャッチして、すなわち、正常に受信できて、最終的にシステムにアクセスすることが可能になる。したがって、ＵＥは、受信するＳＳＢによって自己の位置を特定できる。１）これらの信号は、その他の目的のために、例えば無線リソース管理のために定期的にモニタされるので、そして、２）原則として、ＩＤＬＥ ＵＥでも常に自己が属するＳＳＢを特定できるので、この知識を使用して、何らかの関連付けが存在する限り、ＰＯ内の対応するページングＣＯＲＥＳＥＴの位置を特定することができ、それがＵＥにシグナリングされるか、あるいは、ＵＥによって認識される。ＰＯには、すべてのＳＳＢ（すなわち、ビーム）に対応するページングＣＯＲＥＳＥＴが収容されており、その持続時間は、ページング信号をビームスイープするために必要なピリオドに対応している。
【００３６】
ＬＴＥにおいて、そして、多分、ＮＲにおいても、同期信号を検出した後の最初の同期化の場合に（ＵＥが、まだＬＴＥのセルにキャンプオンしていないか、あるいは、接続されていないときに）、ＵＥは、Physical Broadcast CHannel（物理ブロードキャストチャネル（ＰＢＣＨ））を復号して、それから重要なシステム情報を取得する。特に、ＰＳＳとＳＳＳが、定期的に送信され、端末がスロット境界（slot boundary）のタイミングを取得できるようにする。次に、構成情報を搬送しているセルのＰＢＣＨが読み取られてもよい。構成情報は、すべての端末によって、および／または、１グループの端末によって読み取られるべき共通構成情報であってもよい。これには、例えば、ページングリソースのようなセルリソースの構成が含まれていてもよい。ＲＭＳＩ（Remaining Minimum System Information：残りの最小のシステム情報）とＯＳＩ（Other System Information：その他のシステム情報）は、ＰＢＣＨから示されるリソースであり、且つ、セル内の任意の端末によって読み取られるべき（セル）ブロードキャスト共通情報も搬送するリソースである。この情報には、構成も含まれていてもよい。この構成情報は、無線制御プロトコル（ＲＲＣ）によって搬送されてもよい。
【００３７】
図１は、ＮＲにおける時間／周波数の同期化の手段としていくつかのブロックを使用する基本原理を示している。候補となるＳＳＢの位置とそれらの総数とは、仕様書に規定可能であり、それらは、ニューメロロジー（numerology）に固有であり、２４０ＫＨｚのサブキャリア間隔については最大数Ｌ＝６４のＳＳＢである。１つのニューメロロジーは、サブキャリア間隔とサイクリックプレフィクス（ＣＰ）のオーバーヘッドとによって定義される。図１において、候補となる位置がボックスとして表現されている。この表現では、Ｌ＝８個の可能なＳＳＢのうちの５個（それぞれのＳＳＢインデックスである「ＳＳＢ１」、「ＳＳＢ２」などで示されている）が、ネットワークによって実際に送信され、ＲＭＳＩを介して通知される。一般的に、基地局（ＮＲではｇＮＢと呼ばれており、ＬＴＥのｅＮＢ／ｅＮｏｄｅＢと類似している）は、図２に例示されているように、相異なる時点において相異なるビームを使用して相異なるＳＳＢを送信してセル／セクタをカバーしている。
【００３８】
留意すべき点として、ＵＥは、他の一部の機能、例えば無線リソース管理（Radio Resource Management（ＲＲＭ））（例えば、ハンドオーバ）を実施するためにＳＳＢをモニタしており、したがって、ＵＥは最良の受信ビームを認識している。さらに、ｇＮＢはトラッキングエリア内のＩＤＬＥモードのＵＥの位置を知らないので、ページングメッセージもビームスウィープされる必要があり、したがって、当然の設計として、ＳＳＢのオペレーションとページングとが関連付けられる。
【００３９】
上述の合意事項の中で本開示にとって重要な合意事項の１つは、ＳＳＢとページング（ＤＣＩ／メッセージ）との間のＱＣＬ (Quasi-Colocation：擬似コロケーション)がＵＥによって想定され得ることである。擬似コロケーション（Quasi-co-location（ＱＣＬ））の概念は、相異なるアンテナポートによって送信される信号が経験する無線チャネルが、もし、それらが擬似コロケーションである場合、そして、その場合に限り、広範にわたる同じ特性（例えば、平均遅延拡散、ドップラ拡散／シフト、平均ゲインなど）を有することを意味する。実際上は、これは、２つの相異なるチャネル（例えば、ＳＳＢとページング）に対応する信号が、同じビーム構造を使用して、同じ送受信ポイント（Transmission and Reception Point (ＴＲＰ)）から送信されることを意味する。換言すれば、固有のインデックスと共に送信される各々のＳＳＢには、同じビームを使用して送信される、それに対応するページング信号がある。この合意事項によって、ＱＣＬを通じて各々のＳＳＢとページングメッセージとの間にリンクが作成される。ＳＳＢとＣＯＲＥＳＥＴとの対応付けは、ＲＭＳＩによって示される。
【００４０】
これまでに為されたもう１つの合意事項は、ＲＭＳＩ、ＯＳＩ、およびページングが、ＩＡＤ_ＢＰ内で定義された同じＣＯＲＥＳＥＴ構成を共有することに関係している。ＩＡＤ_ＢＰは、ＲＭＳＩの帯域幅として、すなわち、位置とサイズとによって、定義されるInitial Active Downlink Bandwidth Part（最初のアクティブダウンリンク帯域幅部分）を意味する。さらに、ＳＳＢとＲＭＳＩ／ＯＳＩ ／ページングＣＯＲＥＳＥＴとの間の相異なる多重化パターンを考慮する必要がある。
【００４１】
図３ＡはＰＯを示しており、これは、時点ｔ０で始まり、ＩＡＤ_ＢＰにスロットｉ−２、ｉ−１、ｉおよびｉ＋１を含んでいる。なお、「ＩＡＤ_ＢＰ」という用語は、本開示において、頭字語「ＩＡＤ＿ＢＷＰ」と同義で使用されていることに留意されたい。
【００４２】
図３ＢはＰＯの別の一例を示しており、いくつかのスロットがページングＣＯＲＥＳＥＴ（ＰＣ）を含んでいる。特に、ページングオケージョンの計算では、開始ポイント（t０）を決定する必要がある。これは、ＲＭＳＩおよびＯＳＩ ＣＯＲＥＳＥＴの送信を考慮に入れて行う必要がある（その理由は、それらもＩＡＤ_ＢＰ内で送信されるからである）。ページングＣＯＲＥＳＥＴはＲＭＳＩ／ＯＳＩ ＣＯＲＥＳＥＴとオーバーラップしない（時間的に衝突しない）ことが認識されている。ＲＭＳＩ ＣＯＲＥＳＥＴ、ＯＳＩ ＣＯＲＥＳＥＴ、およびページングＣＯＲＥＳＥＴは、すべてＩＡＤ_ＢＰ内に割り当てられる。したがって、それらは同じ周波数部分内に配置される。しかしながら、それらは決して時間的にオーバーラップすることはなく、これは、ｇＮＢがそれらを構成することによって実現される。したがって、ＳＳＢとページングＣＯＲＥＳＥＴとが同じ帯域ＩＡＤ_ＢＰ内に在る「パターン１」の場合では、ＳＳＢの送信パターンが考慮される。ＳＳＢの送信パターンは、通常、ＴＳＳＢごとに約ハーフフレーム（すなわち、５ｍｓのウィンドウ）を要する。
【００４３】
特に、図４は、ＳＳＢバーストセットを伴うＮＲにおけるフレーミングを示している。この代表的な表現において、ＳＳＢバーストセットは第１のハーフフレーム内に在る。ＮＲでは、１フレームは１０ｍｓであり、それに対応してハーフフレームは５ｍｓである。各々のハーフフレームには５つのサブフレームがあり、これらのサブフレームは、さらにスロットに分割されている。スロットの数は、相異なる周波数帯域（すなわち、ニューメロロジー）ごとに異なる。図４において、スロットレベルの構造には複数のスロット（相異なる塗りつぶしパターンで示されている）が含まれており、各々のスロットには最大２つのＳＳＢが収容されている。Ｌは、バースト内におけるＳＳ Ｂｌｏｃｋ（ＳＳＢ）の最大数である。特に、図４を見ると、各々のスロット内において、最大２つのＳＳＢがマッピングされている可能性がある。例えば、１５ＫＨｚ帯域、Ｌ＝４においては、第１のハーフフレームの２つの隣接スロットには１つのバーストがあり、各々のスロットが２つのＳＳＢを搬送することが想定される。同じ周波数帯域でＬ＝８の場合、４つのスロットにわたって、やはり１つのバーストがあり、各々のスロットに最大２つ（全部で８つ）のＳＳＢがある。１２０ＫＨｚ帯域でＬ＝６４の場合、１セット内には４つのＳＳＢバーストがある。
【００４４】
図５は、ＳＳＢバーストセット、ＣＯＲＥＳＥＴ、およびＰＤＳＣＨ（データチャネル）についての３つの可能な多重化パターンを示している。
【００４５】
・「パターン１」は、ＳＳＢ（ＳＳ／ＰＢＣＨブロック）とＲＭＳＩ ＣＯＲＥＳＥＴとが相異なるタイムインスタンス（time instance）において発生する一方でＳＳ／ＰＢＣＨブロックとＲＭＳＩ ＣＯＲＥＳＥＴを収容する最初のアクティブＤＬ ＢＰとについての送信帯域幅がオーバーラップしている多重化パターンを意味する。
【００４６】
・「パターン２」は、ＳＳ／ＰＢＣＨブロックとＲＭＳＩ ＣＯＲＥＳＥＴとが相異なるタイムインスタンスにおいて発生する一方でＳＳ／ＰＢＣＨブロックの送信帯域幅が、ＲＭＳＩ ＣＯＲＥＳＥＴを収容する最初のアクティブＤＬ ＢＰとオーバーラップしていない多重化パターンを意味する。
【００４７】
・「パターン３」は、ＳＳ／ＰＢＣＨブロックとＲＭＳＩ ＣＯＲＥＳＥＴとが同じタイムインスタンスにおいて発生し且つＳＳ／ＰＢＣＨブロックとＲＭＳＩ ＣＯＲＥＳＥＴを収容する最初のアクティブＤＬ ＢＰとについての送信帯域幅がオーバーラップしていない多重化パターンを意味する。
【００４８】
さらに、図６は、ＳＳＢバーストセットの周期性を示している。一般的に、１つのＳＳＢバーストセットの継続時間は、５ｍｓ未満、すなわちハーフフレームよりも短い（使用されるハーフフレームはネットワークによって示され、例えば、「０」は第１のハーフフレームを示し、「１」は第２のハーフフレームを示している）。図６において、ＳＳＢバーストの周期は２０ｍｓに設定されている（ＴＳＳＢ＝２０ｍｓはデフォルトであるが、オペレータは別の値を構成してもよい）。一般的に、現在、この周期は、{５,１０,２０,…,１６０}の値から選択できる。周期の構成は、多重化パターン１について特に重要であり、その理由は、ＳＳＢとＲＭＳＩ ＣＯＲＥＳＥＴとがオーバーラップしないようにする必要があるからである。
【００４９】
図７は、ＳＳＢとＲＭＳＩ ＣＯＲＥＳＥＴとが相異なるニューメロロジーを持ち得ることを示しており、相異なる周波数範囲についてＳＳＢ数とニューメロロジー（サブキャリア間隔（Sub-Carrier-Spacing）、ＳＣＳ）とを規定している。例えば、図７の表に基づいて、可能なＣＯＲＥＳＥＴの継続時間（単位：シンボル）は次のとおりである。
【００５０】
・パターン１：{１,２,３}、パターン２：{１,２}およびパターン３：{２}。
・ＲＭＳＩ ＣＯＲＥＳＥＴの構成は、ＳＳＢ／ＲＭＳＩニューメロロジーの組み合わせと多重化パターンとに依存する。
・この構成は、ＯＳＩとページングとによって再利用される。
【００５１】
図８は、周波数帯域とＳＳＢとニューメロロジーとの関係を示している。特に、相異なる周波数範囲についてのＳＳバーストセット内のＳＳブロックの最大数Ｌは次のとおりであることが合意されている。
【００５２】
・３ＧＨｚまでの周波数範囲については、Ｌは４であり、
・３ＧＨｚから６ＧＨｚまでの周波数範囲については、Ｌは８であり、
・６ＧＨｚから５２.６ＧＨｚまでの周波数範囲については、Ｌは６４である（単なる明確化のため）。
【００５３】
なお、値「Ｌ」は、送信できるＳＳＢの最大数である。オペレータは、使用されるビームの数を減らしてもよい。いくつのビームが使用されるかと、（ＳＳＢについての既定の１セットの候補位置において）それらがいつ送信されるかとはネットワークによって示される。
【００５４】
一般的に、いくつかのページングＣＯＲＥＳＥＴが相異なるビームによって送信されるＰＯ全体をＵＥがモニタすることは、非効率的になる（エネルギコストが高くなる）可能性があるので、これを回避することが望ましい。したがって、ＱＣＬを利用することが好ましいアプローチである。
【００５５】
したがって、本開示は、ページングオケージョンの割り当てと設計に関する。
【００５６】
図９には、本開示の代表的な実施形態に対応するユーザ機器と基地局が示されている。ユーザ機器９１０（すなわち、ユーザ装置（ＵＥ）またはユーザ端末）と基地局９６０（すなわち、ＮＲのｇＮＢ）とは、無線チャネル９５０を介して互いに通信する。
【００５７】
本開示は、ページング信号の送受信に関し、特に、ページング信号についての位置および／または長さの決定に関する。特に、ＮＲで使用されるようなビームスウィープオペレーションを考慮に入れて、ページングオケージョンの位置と長さとを決定することに関する。
【００５８】
さらに、一部の実施形態において、考慮に入れるべきその他の制約事項（３ＧＰＰにおいて検討されている一部の望ましい設計原理から結果として生じる場合もある）には、事前同期化と、ＣＯＲＥＳＥＴの衝突の回避と、負荷の適合化（すなわち、ページング容量がＬＴＥに少なくとも等しく且つ調整可能である必要がある）とが含まれている。一般的に、統一されたフレームワークが望ましい。これは、セルの他の設定に関係なく（おそらく異なる構成を用いて）適用できるソリューションがあり、しかも、そのようなソリューションは、例えばセルの一部のパラメータが変更された場合に別のソリューションを必要とするような断片的なソリューションではないことを意味する。換言すれば、ページングオケージョン用の既定の時間領域パターンを有し、そのパターンを構成するためのパラメータ化を提供する基本は、そのような統一されたフレームワークを規定することである。
【００５９】
ページング情報を効率的にシグナリングするために、一部の実施形態において、ページング情報の位置は、ネットワーク（例えば、基地局）がユーザ機器についての少なくとも１つのパラメータを用いて構成するパラメータ化された既定のパターンによって、決定される。このパターンについての「既定の（predefined）」という用語は、パターンが従う特定のルール、例えば、時間についてのＰＯの発生の規則性、換言すれば、ＰＯの可能な時間的位置を制限する制約事項などがあることを意味する。「パラメータ化された（parameterized）」という用語は、既定のパターンに従っている限り、時間についての特定のＰＯ位置がパラメータによって変化し得ることを意味する。特に、ページングオケージョンの割り当ては既定の時間領域割り当てストラテジ（strategy）に基づいており、この方法はページング周期全体を１つのタイムフレームとして使用し、この方法のパラメータは、セルの必要なページング容量とビームスウィープ（ＳＳＢ）パターンとに応じて設定してもよい。
【００６０】
一般的に、ページング情報は、システムリソースのページング領域において、ネットワーク（例えば、無線インタフェース上の基地局）が送信してもよい。ページング領域は、一群の端末によって読み取られる。端末は、電力を節約するために、ネットワークがページング情報を搬送するように一般的に構成できるリソースのうち、ページング情報を搬送するように構成されたページングリソースのみを読み取る。
【００６１】
一実施形態によれば、図９に示されたユーザ機器９１０は、基地局との間でデータを送信および／または受信するための送信機および／または受信機を含むトランシーバ９２０と、回路９３０とを備えている。動作中の回路９３０はトランシーバ９２０を介して基地局からページングオケージョン構成を受信し、このページングオケージョン構成には、ページング周期内でページングオケージョンを受信するための既定の時間領域パターンを構成するための少なくとも１つのパラメータが含まれている。次に、回路９３０は、受信したページングオケージョン構成に従って構成された既定の時間領域パターン内のページングオケージョン内におけるページング信号の受信を（トランシーバ９２０を介して）行う。
【００６２】
このユーザ機器は、ＬＴＥまたはＮＲのような規格においてＵＥ機能を実施する任意の機器であってよい。換言すれば、これは、携帯電話、スマートフォン、ラップトップ内またはタブレット内またはコンピュータ内に実装された受信機、あるいは、例えばマシン・ツー・マシン通信機器のような任意の端末機器であってもよい。このユーザ機器は、中継機能も備えていてもよい。
【００６３】
通信システムにおいてユーザ機器との間でデータを送信および／または受信するための基地局９６０は、動作中にページングオケージョン構成を（トランシーバ９７０を介して）ユーザ機器に送信する処理回路９８０を備えており、このページングオケージョン構成には、ページング周期内でページングオケージョンを受信するための既定の時間領域パターンを構成するための少なくとも１つのパラメータが含まれており、そして、この処理回路９８０は、受信されるページングオケージョン構成に従って構成された既定の時間領域パターン内の１つまたは複数のページングオケージョン内においてページング信号を（トランシーバ９７０を介して）送信する。
【００６４】
この基地局は、一般的に、ページングが適用されるネットワーク（セルラーネットワーク）に対する任意の無線インタフェースであってもよい。例えば、この基地局は、ＬＴＥにおけるｅＮＢに、あるいは、ＮＲにおけるｇＮＢに、あるいは、任意の同様の局に対応し得る。また、この基地局は、ユーザ機器に無線インタフェースを提供する中継器であってもよい。
【００６５】
トランシーバ９２０と９７０は、各々、送信機と受信機を備えている。これらの送信機と受信機は、任意の既知の構成のものであってもよく、アンテナ（ビームフォーミング用のアンテナアレイ）、増幅器、および、場合によっては所望の時間と周波数リソースで信号を送受信するための更なる電子装置を備えていてもよい。一方、処理回路９３０と９８０は、シグナリングとデータとの送受信などのベースバンド処理を実施し、すなわち、それぞれのトランシーバ９２０と９７０を介して受信した信号を処理して、シグナリングとデータとを抽出して（すなわち、復調して、復号して）解読する。さらに、これらの回路は、シグナリングとデータとをリソースにマッピングして、それぞれのトランシーバ９２０と９７０を介して送信してもよい。これらのトランシーバは、送信および／または受信用の周波数帯域と時間のような特定の物理リソースによって形成されるチャネル９５０を介した通信を可能にする。
【００６６】
上述の如く、これらの実施形態において、同期化とページングとの手順は、同じビーム構造を使用して、例えば基地局のような同じ（または実質的に同じ）送受信ポイント（transmission and reception point（ＴＲＰ））から送信されることなどの幾つかの共通の特徴を共有している。したがって、これら２つの手順を関連付けることが実用的である。同期化リソースを同期ブロック（ＳＳＢ）と呼ぶことにする。１つのＳＳＢは、通信システムリソースのうちで、その位置によって定義されてもよい。例えば、ＮＲにおいて、ＳＳＢは、時間−周波数グリッドにおけるブロックとして、すなわち、（時間領域における）特定数のシンボルと（周波数領域における）サブキャリアとして、与えられてもよい。
【００６７】
したがって、上述のユーザ機器９１０と基地局９６０は、システムのページング周期を基準として使用する、ＰＯについての既定の時間領域パターンを利用する。この既定の時間領域パターンは、それらが基地局９６０によって構成可能であるようにパラメータ化される。特に、このパラメータ化は、一般的に通信システムのオペレータによって構成可能であるいくつかのパラメータを入力として備えることがある。そのような入力は、例えば、下記の１つ又は複数のものであることがある。
【００６８】
・同期信号ブロックとシステム情報ブロックとの相互の位置を定義する多重化パターン（例えば、図５を参照して前述したもの）。このパラメータは、さらに、同期信号ブロック（ＳＳＢ）とＲＭＳＩ ＣＯＲＥＳＥＴとについての、起こり得る位置的な衝突を解決し得る。その上、事前同期化も考慮に入れることができる。これは、ＩＤＬＥ ＵＥがページングを受信する直前に自己の同期化を更新（すなわち、再同期化）できるように、同期信号ブロックがページングオケージョンに規則的に先行することを確実にすることによって、実現してもよい。
・ビームスウィープ構成、および、特に、最大ＳＳＢ数Ｌ、および／または、実際のＳＳＢ数Ｌ′。これらのパラメータは、必要なＰＯ長に影響する場合がある。
・ページング容量、特にページング周期毎のＰＯの数。
【００６９】
ＰＯ構成には既定のルールが含まれることがある。このルールは、例えば、ＰＯの可能性のある位置を制約する時間領域におけるラスタの定義であり得る。あるいは、このルールは、ページング周期全体にわたるＰＯの均一な分布である場合がある。これらの代表的なルールを、以下、詳細に説明する。ラスタ内におけるＰＯの位置、あるいは、均一な分布のルールに関する別の制約が、更なるパラメータと設計ルールとによって、規定される場合がある。これらの更なるパラメータには、例えばページング容量などのような調整可能なセルパラメータが含まれることがある。可能な設計目標の１つは、ページング周期内におけるラスタとＰＯの均一な分配との両方のスキームが任意の多重化パターン（帯域幅のオーバーラップ有り又はオーバーラップ無し）と共に機能することであり得る。
【００７０】
ラスタに配置されたページングオケージョン
パターンとパラメータ化との一例は、次のとおりである。すなわち、既定の時間領域パターンは、ページングオケージョンがページング周期内の通常のラスタ内にのみ存在し得ることを規定しており、そして、ページングオケージョン構成は、ページングオケージョンの受信が行われるべきラスタ位置を示している。
【００７１】
特に、この一実施形態において、ラスタは、システムのページングオケージョンサイクル全体にわたる時間領域内において定義される。ラスタポイントは、ＰＯの候補位置（可能な開始ポイント）に対応している。そのようなラスタは、図１０の左側に例示されている。ページング周期の開始に対するオフセットは、ラスタ位置を定義してもよい。このオフセットは、固定化（規格内で事前規定）されていてもよく、あるいは、（例えば、基地局によってシステム情報内において）構成可能であってもよい。さらに、ラスタ間隔は、可能な限り小さいＰＯ間隔に対応している。ここでは、ＰＯは、すべてのラスタポイントにおいて配置され得る（すなわち、開始し得る）。ＰＯは、ラスタポイント以外の位置においては開始できない。さらに、各々のラスタポイントが必ずしもＰＯを含んでいるわけではない。実際のＰＯ位置は、別の制約によって割り当てられる場合がある。
【００７２】
基地局または基地局を含む通信システムをオペレーションするオペレータにとって、既定の複数のラスタ構成からの選択が可能になるように、相異なる細分性を備えた複数のラスタを定義してもよい。換言すれば、基地局からユーザ機器に通知されるページングオケージョン構成は、既定の複数のラスタのうちの１つを示している場合がある。この場合、ラスタにそれぞれの識別子を割り当てることができ、基地局からユーザ機器へのシグナリングには複数のラスタの中から選択されたラスタの識別子の指定が含まれている。
【００７３】
別の一例において、選択されたラスタ間隔（例えば、隣接するラスタポイント相互間の距離を定義するパラメータ）を直接シグナリングすることにより、ラスタをパラメータ化してもよい。
【００７４】
ラスタは、（図１０において三角形として例示された）等間隔のラスタポイントを有する、すなわち、各々のペアを成す隣接するラスタポイント相互間の距離が同であるように配置されたポイントを有すると仮定する。また、ラスタの選択は、例えばページング容量または最大ＳＳＢ数などのような残りのセル構成に従って、暗黙的に決定されてもよい。
【００７５】
次に、ラスタポイントにおけるＰＯの実際の存在は別の制約に基づいてシグナリングまたは導出されてもよく、あるいは、シグナリングと導出とを組み合わせてもよい。例えば、ＰＯの存在は、下記のものによって、シグナリングされてもよい。
【００７６】
・ビットマップ
ビットマップにはビットが含まれており、各々のビットがそれぞれのラスタポイントを表していてもよい。その際、ビットは、第１の値（１または０）を用いて、ＰＯがそのビットに対応付けられたそれぞれのラスタポイントに存在することを示し、第２の値（０または１）を用いて、ＰＯがそれぞれのラスタポイントに存在しないことを示す。このビットマップをシグナリングすることにより、ラスタ内のＰＯの存在を構成する際に十分な柔軟性が得られる。その一方で、これは、大きなオーバーヘッドを生じさせる可能性がある。このビットマップのオプションは、Ｌが小さい場合においてより適しており、その理由は、その使用が絶対的に大きなオーバーヘッドを表していないからである（少数のビット、例えば、Ｌ＝４,８の場合には、８ビット未満で十分である）。Ｌ＝６４の場合には、ラスタは約８０ビット程度になる可能性が高いため、８０ビットのビットマップの送信は制限される可能性があり、その理由は、これが通常可能な限り小さくなるように設計されるシステム情報であるからである。したがって、Ｌの値が大きい場合には、下記のショート（short：短い）パターンがより効率的なオプションになり得る。
【００７７】
・繰り返しのショートパターン
実際には、ページング周期内に多数の、例えば１２８個のＰＯを含めることが可能である。そのような場合、少なくとも１２８個のポイントを備えたラスタが必要である。したがって、上述のビットマップによってそのラスタについてのＰＯの存在に対してシグナリングするために、１２８ビットが必要になる（ビットマップがかなり大きくなる）。ある程度の柔軟性を犠牲にしてこのオーバーヘッドを削減できるようにするには、ラスタ全体にわたって繰り返されるショートパターンを使用することである。例えば、ラスタが５０個のポイントを備えているとする。ＰＯの存在のシグナリング用に使用される所望のビット数に応じて、ショートパターンが定義されてもよい。例えば、４ビットのみを使用して、５０個のラスタポイント内の３２個のＰＯ（ＮＰＯ＝３２）の実際の配置をシグナリングするとする。４ビットの使用によって、ショートパターンに対応する最大１６個の相異なる値を示すことができる（ヌルパターン００００が適用されないため、実際には１５個の値である）。したがって、パターン１００１が送信される場合、ＵＥは、ＰＯが、１の配置されている位置に現れて、必要なＰＯ数になるまで、このパターンを繰り返すと想定する。したがって、ラスタ内のＰＯのパターンは、３２個のパターン１００１が現れるまで、１００１１００１１００１・・・１００１となる。このようにして、５０ビットのビットマップを送信する代わりに、４ビットのみが送信されるが、明らかに１５個のパターンに制約される。繰り返しのショートパターンをシグナリングすることによって、柔軟性は低下するが、シグナリングのオーバーヘッドを大幅に削減できる。
【００７８】
換言すれば、ビットマップは、基地局からユーザ機器にシグナリングされてもよく、その際、各々のビットをそれぞれ１つのラスタタイムポイントに割り当て、ページングオケージョンがそのラスタタイムポイントに含まれているか否かを示している。ビットマップには、ページング周期内において、各々のラスタポイントについて１ビットが含まれている。ページング周期毎に望まれるページングオケージョンの最大数に応じて、ラスタ間隔が選択されてもよい（ページングオケージョンの数によって暗示的に示されるか、あるいは、上述の如く明示的にシグナリングされてもよい）。
【００７９】
あるいは、その代わりに、ビットマップのシグナリングにおけるオーバーヘッドを削減するために、ラスタ内におけるページングオケージョンの配置をショートパターンに従って周期的に繰り返すことを規定する新たな制約事項を導入する。このショートパターンは、Ｎ個の隣接するラスタポイントについて、ＰＯの実際の存在を規定する。Ｎは、ラスタポイント数よりも小さい整数であり、例えば、特に、ラスタポイント数の半分に等しいか、あるいは、それより小さい。次に、このショートパターンは、対応するショート（short：短い）（Ｎ個のポイントの）ビットマップによってシグナリングされてもよく、その際、このビットマップは、Ｎビットのうちの各々のビットを用いて、Ｎ個のラスタポイントのうちのそれぞれの対応するラスタポイントにおけるＰＯの有無を示している。ユーザ機器において、このショートビットマップが受信されて解読される。すなわち、Ｎビットがラスタポイントに周期的にマッピングされており、それによって、各々のラスタポイントについて、ＰＯがそこに存在するか否かが特定される。
【００８０】
なお、上述のＰＯの存在のシグナリングの例（ラスタビットマップ、ショートビットマップ）は、代表例に過ぎず、本開示を限定するものではない。さらに、このショートビットマップは任意の長さを備えていてもよい。また、このショートビットマップの長さも、シグナリングされてもよく、すなわち、構成可能であってもよい。あるいは、その代わりに、これは、他のセルパラメータに基づいて暗示的に特定されてもよく、あるいは、規格内で固定化されていてもよい。
【００８１】
ラスタの開始は、図１０に例示されているように、ページング周期の開始からのオフセットとして規定できる。ＵＥの観点から見た目標ＰＯは、ＵＥが自主的に特定できる。換言すれば、個々のＵＥは、必ずしもラスタ内に存在することが示されている各々のＰＯにおいて受信を行う必要はない。
【００８２】
ｇＮＢは、ＰＯの適切な位置と数とを選択することにより、ＣＯＲＥＳＥＴの衝突を柔軟に回避し、ページング容量を調整し、ＰＯ相互間の時間を変えることができる。ＰＯの長さも考慮される。したがって、ラスタは規則正しく且つ等間隔であるが、ＰＯはページング周期内において柔軟に構成できる。
【００８３】
代表的な一実施態様例に従えば、ラスタタイムポイントは、構成可能なページングオケージョンが同期信号ブロックとオーバーラップしないようなページング周期内における位置に定められる。これは、例示的な一制約事項である。なお、ここで、この回避すべきオーバーラップは、ＰＯが使用する帯域幅と同期信号ブロックとがオーバーラップする場合（前述の多重化パターン１、図５参照）における時間領域においてのことである。
【００８４】
図１１は、基地局とユーザ機器の両方の観点から見た、ラスタベースのＰＯパターンのより詳細な説明を示している。特に、図１１は、システムのページング周期と、各々のページング周期内におけるラスタの開始を示すオフセットと、を示している。このラスタは、「ＰＯ間隔」によって等距離に離間された三角形によって示されている。ＰＯの実際の存在は、暗い三角形によって示されている。残りの三角形は、ＰＯが実際に存在しないラスタ位置を表しているだけである。図１１の底部には、より短い、ＵＥ固有のページング周期が示されている。特に、６つのＵＥ固有の周期が、それぞれのＰＯ数である３、２、４、３、２、４（#ＰＯとして示されている）と共に、示されている。図１１から分かるように、システムのページング周期とＵＥ固有のページング周期とは、必ずしも、整合している、あるいは、さもなければ調和しているわけではない。ＵＥは、ＵＥ固有の周期内において、「目標ＰＯ」と呼ばれる１つのＰＯのみを読み取る必要があるように構成してもよい。そのような目標ＰＯは、（基地局とＵＥの両方に知られている）公式を使用することにより、ＵＥによって特定されてもよい。そのような公式には、モジュロ計算（modulo calculation）が含まれる場合がある。例えば、ＵＥ固有の周期内に同じ数のＰＯがある場合、この計算は、モジュロ演算として、そのＵＥ固有の周期毎のＰＯ数を、ＵＥのアイデンティティ（UE identity）と、場合によっては、いくつかの別のパラメータと、に基づいて算出され得る数で、除して行われてもよい。図１１において、ＵＥ固有の周期内におけるＰＯ数は異なっている。代表的な一実施態様例に従えば、この目標ＰＯは、ＵＥ固有の周期内におけるＰＯの最小数として特定されるモジュロ数を適用することによって、算出され得る。図１１の例において、ＵＥ固有の周期毎のＰＯの最小数の値は２である。その他のソリューション（solution）もあり得る。
【００８５】
図１２は、ラスタポイントにおけるＰＯの実際の存在がＳＳＢバースト位置と調整された別の一例を示している。特に、ＰＯは、時間領域においてＳＳＢとのオーバーラップが無いラスタポイントにおいてのみ存在する。特に、この場合のセル設定は、ＮＰＯ＝３２、ＴＤＲＸ＝３２０ｍｓ、ＴＳＳＢ＝４０ｍｓ、および多重化パターン１である。この例において、３２個のＰＯ０〜３１がＤＲＸ周期（ページング周期）全体にわたって配置されている。
【００８６】
ページング周期内のＰＯの均一な分布
別の一実施形態によれば、既定の時間領域パターンは、ページングオケージョンがページング周期内の均一に分布させられた時間区間内で受信されることを規定し、また、ページングオケージョン構成は、この均一に分布させられた時間区間の周期性を示している。これは、図１０の右側に例示されている。この場合、ＰＯは、均一に分布させられた時間区分の各々に存在し、その結果、ＰＯ間隔は、ページング周期（システム周期）の持続時間と所望のＰＯの数との比によって与えられる。
【００８７】
換言すれば、この実施形態のアイデアは、既定のルールに従ってＵＥが算出できる位置に（ページングオケージョン周期全体にわたって）均等に分布させられたＮＰＯ個のＰＯを割り当てることによって、既定のページングオケージョンの特徴を提供することである。
【００８８】
例えば、１つのルールは、衝突が発生する場合に、直後の（または直前の）スロットを採用することによって、あるいは、そのＰＯなどをスキップすることによって、多重化パターン１においてＳＳＢとの衝突を回避することであってもよい。一般的に、衝突回避のルールは、同期信号の終了の後または前のｉ番目のスロットを採用することであってもよい。その他の実行可能な方策としては、ＳＳＢが存在するハーフフレームが単にそこに無いと仮定して（これを取り除く）、そして、ＰＯを残りのタイムラインにおける均一な分布に従わせることである。
【００８９】
ＵＥにＰＯの配置を通知するためには、周期内のＰＯ数と、最初のＰＯが配置されているページング周期内のオフセットと、を知る必要がある。このオフセットは、上述のラスタ実施形態におけるラスタオフセットと同様に、固定化されているか、あるいは、構成可能であってもよい。通常、このオフセットは、互いに隣接するＰＯ相互間の距離よりも小さくなる。同様のＬＴＥ設計では、ＮＰＯは、既定のセット、例えば{４,１６,３２,６４}などから選択できる。しかしながら、これは、本開示についての非限定的な一例にすぎない。
【００９０】
ＵＥの観点から見た目標ＰＯは、上述の実施形態においても示されているように、ＵＥによって自主的に特定できる。したがって、ＵＥは、基地局とＵＥの両方に既知である公式またはアルゴリズムに基づいて、システム周期のどのＰＯをＵＥが受信（チェック）する必要があるかを算出できる。次に、基地局は、特定のＵＥに対するページング表示（ＤＣＩ）を、そのＵＥが読み取るＰＯ内に、配布する。
【００９１】
この実施形態において、すべてのＮＰＯ個の位置にはＰＯがあるので、この手法は、ＳＳＢとのオーバーラップが生じない多重化パターン２または３により適している。しかしながら、前にも述べたように、オフセットの設定はＳＳＢとの衝突を回避するのに役立つ場合があり、そして、この実施形態をパターン１にも採用できるようにするいくつかのその他の制約事項もあり得る。
【００９２】
図１３は、ＰＯがＤＲＸ周期全体にわたって均等に分布させられている一例を例示している。この代表的なセル設定は、ＮＰＯ＝３２、ＴＤＲＸ＝３２０ｍｓ、ＴＳＳＢ＝４０ｍｓ、および多重化パターン２であり、その結果、ＳＳＢは、ＰＯが配置されている周波数帯域とは異なる周波数帯域に配置されている。したがって、衝突は生じない。
【００９３】
代表的な一実施態様例では、周期性は、受信ページングオケージョン構成において、ページング周期内におけるページングオケージョンの数として規定される。これは、周期性（この場合、ＰＯ相互間の時間に対応している）を特定する方法を意味している。ここでのページング周期は、システムパラメータによって定義されるシステム（ネットワーク）周期を意味している（と理解されたい）。これは、他に何かが示されない限り、ＵＥが使用すべきデフォルト値である。この「ＤＲＸ周期」という用語は時々適用されるが、その理由は、これによって、ＵＥが受信をオフに切り替え得る期間と、ＵＥがそのページングオケージョンをモニタするためにウェイクアップする必要がある期間と、が特定されるからである。ネットワークによるページング周期とＵＥによるページング周期とは、図１１を参照して前述したように、同じである場合も異なる場合もある。
【００９４】
図１３の例において、ページングオケージョンは、同期信号ブロックが送信される周波数サブバンドとオーバーラップしない周波数サブバンドで送信される。これは、多重化パターン２と３に当てはまる。
【００９５】
その他の構成
上述の如く、原則として、ラスタベースのＰＯ配置と均一に分布させられたＰＯ配置の両方は、一般的に、多重化パターンの任意のものに使用してもよい。
【００９６】
しかしながら、一例に従えば、多重化パターンの構成は、個々のそれぞれの既定のＰＯパターン（ページングの受信用の既定の時間領域パターン）に関連付けられてもよい。例えば、多重化パターン１（ＳＳＢとＰＯとが同じ周波数帯域内に配置される）はラスタベースのＰＯ配置に関連付けられてもよく、それに対して、ＳＳＢとＰＯとが非オーバーラップ周波数帯域内に配置されている多重化パターン（上述の例におけるパターン２と３）は、均一なＰＯ分布に関連付けられてもよい。
【００９７】
上述の実施形態のその他の採用例も考えられる。例えば、規格が、ラスタベースのＰＯの配置方式と均一に分布させられたＰＯの配置方式の一方のみを可能にしてもよい。あるいは、その代わりに、ラスタベースのＰＯの配置が適用されるべきか、または、均一に分布させられたＰＯの配置が適用されるべきか、を基地局によって構成可能にしてもよい。その代わりに、あるいは、それに加えて、一部のセルパラメータが、ラスタベースのＰＯの配置および／または均一に分布させられたＰＯの配置の適用を制約してもよい。
【００９８】
代表的な一実施態様例において、動作中のユーザ機器の処理回路は、ユーザ機器に固有のページングオケージョン計算に従って、および／または、基地局に設定されたビームスイープ構成に従ってさらに構成されたページングオケージョン内のページング信号の受信を行う。特に、ＰＯ計算はＵＥに固有であり、そして、この計算は、ＤＲＸ周期内の１つのＰＯを特定する。
【００９９】
ページングオケージョン構成は、基地局によってブロードキャストチャネル（ＰＢＣＨ）内でシグナリングされてもよく、ページング周期の開始に対して相対的にオフセットを含んでいる。このオフセットは、均一なＰＯ分布の場合に、ラスタの開始または最初のＰＯの位置を示し得る。換言すれば、このオフセットは、ページングを受信するための既定の時間領域パターンの開始を規定する。
【０１００】
図１４は、ユーザ機器によって受信（チェック）されるべきＰＯの配置を決定し得るパラメータの一例を示している。最初に、基地局からユーザ機器にシグナリング１４１０が提供され、このシグナリングは、割り当てストラテジ（既定の時間領域パターン、例えばラスタベースまたは均一な分布）と、この割り当てストラテジについてのパラメータ（例えば、ラスタ間隔、ＰＯ間隔、および／またはオフセット）と、（ラスタ割り当てについて）ＰＯの存在（例えば、ビットマップ、ショートビットマップ）と、を規定し得る構成に関するものである。この情報は、デフォルトのページング構成内で提供されてもよく、および／または、システム情報ブロック（ＳＩＢ）内でシグナリングされてもよく、セルに共通である。
【０１０１】
次に、ＵＥ固有ページング構成１４２０が、ＲＲＣ（Radio Resource Control protocol：無線リソース制御プロトコル）を介して、ＵＥにシグナリングされ得る。これは、ＵＥ固有周期とその他のパラメータとを定義し得る。ＤＲＸ周期内のＰＯ（必ずしも目標ＰＯではない）の最小数が、システムページング周期とＰＯ割り当てとを規定するシステム構成からＵＥに認識される。図１１を参照して述べたように、ＵＥ固有周期内のＰＯの最小数は、モジュロ引数（Modulo argument）として使用できる。ページングロードバランシング（paging load balancing）は、例えば、ＤＲＸ周期の割り当て方法とページング割り当てスキーム構成とは、ｇＮＢ次第である。
【０１０２】
最後に、システム情報が基地局によってセルブロードキャストを介して更新されてもよく（１４３０）、このシステム情報にはシグナリング１４１０を参照して述べた１つまたは複数のパラメータが含まれ得る。
【０１０３】
ＰＯの長さの特定に関して、ＰＯの長さは、ＳＳＢ（スウィープされるべきビーム）の数に依存し得る。図３Ｂは、シンボル／スロットでのＰＯ長が、任意（例えば、ＭＰＯ）であるが、ＬとＬ′とに比例し得る場合を例示している。ＭＰＯ＞Ｌ×ＳＰが常に成立することは明らかである。ＳＰは、図７の表に従ってページングＣＯＲＥＳＥＴに使用されるべきシンボルの数である。換言すれば、ＰＯの長さは、ユーザ機器と基地局の両方によって、最大ビーム数（Ｌ）とページングリソース用に構成された時間領域シンボル数との積より大きい（または、この積に等しい）と特定できる。なお、ＰＯの割り当ての観点からすれば、ＰＯ長さは、ｇＮＢにのみ関連する。ＵＥも、その長さを知ることができるが、ＵＥの観点からは、ＰＯの開始ポイントを知り、次に、ＰＯ内の関連するＣＯＲＥＳＥＴのオフセットを知ることが重要であり、もしＵＥにその関連するＣＯＲＥＳＥＴの位置についての手掛かりがない以外には、そして、そのような場合には、ＰＯの長さはＵＥにも関連することがあり得、その理由は、ＵＥがＰＯ全体をモニタする必要があるからである。
【０１０４】
ＰＯの位置は、ＮＲにおいて利用可能な複数のオプションを考慮に入れるために、柔軟に構成する必要がある。上述の割り当てストラテジを使用することによって、ＮＲにおいて利用可能な実行可能な構成、例えば多重化ＣＯＲＥＳＥＴ-ＳＳＢ多重化パターンと互換性のある態様でＰＯの位置を柔軟に示す統合フレームワークが得られる。さらに、必要なシグナリングが少なく、また、（ＵＥ固有のＤＲＸ周期が構成されない限り）ＵＥ固有のシグナリングは必要ない。図３Ｂにおいて、各々のスロット内のそれぞれのページングＣＯＲＥＳＥＴの個々のオフセットは、ＲＭＳＩを使用して示されてもよい。
【０１０５】
上述のように、これらの実施形態は、ＰＯの位置の特定に関する。これは、ユーザ機器と基地局の両側において実施される。ページング周期内のＰＯの構成は、同じであり、両側に適用できるが、基地局は、（例えば、ＰＯの位置を特定するためのパラメータを設定することによって）ＰＯの割り当てを構成するように構成されてもよく、その一方、ユーザ機器は、その構成を受信して、関連するＰＯの位置を特定するように構成されてもよい。次に、ユーザ機器は、ページング周期内のＰＯの位置に基づいて目標ＰＯを特定して、次に、この目標ＰＯを実際にモニタしてもよい。
【０１０６】
したがって、ＰＯの割り当てとシグナリングは、それらがここで繰り返されないように、基地局によっても実施されてもよい。
【０１０７】
さらに、図９を参照して上述したユーザ機器と基地局との処理回路によって実施されるステップに対応する、ページング信号の送信および／または受信のための方法を提供する。
【０１０８】
特に、通信システムにおいて基地局との間でデータを送信および／または受信するための方法であって、且つ、ユーザ機器において実施されるべき方法であって、ページング周期内でページングオケージョンを受信するための既定の時間領域パターンを構成するための少なくとも１つのパラメータを含むページングオケージョン構成を基地局から受信するステップと、この受信されたページングオケージョン構成に従って構成された既定の時間領域パターン内のページングオケージョン内のページング信号の受信を実施するステップと、を備えた方法を提供する。このような方法は、任意の処理回路によって、あるいは、単一のプロセッサにおいて実施されてもよい。
【０１０９】
さらに、通信システムにおいてユーザ機器との間でデータを送信および／または受信するための方法であって、且つ、基地局において実施されるべき方法であって、ページング周期内でページングオケージョンを受信するための既定の時間領域パターンを構成するための少なくとも１つのパラメータを含むページングオケージョン構成をユーザ機器に送信するステップと、送信されるページングオケージョン構成に従って構成された既定の時間領域パターン内の１つ又は複数のページングオケージョンにおいてページング信号を送信するステップと、を備えた方法を提供する。
【０１１０】
なお、本方法には、実施形態および例のいずれかに従って、上述の処理回路を参照して説明した任意のステップが含まれている場合がある。
【０１１１】
さらに、プロセッサ（または、一般的に処理回路）上で実行される場合に、上述の方法のすべてのステップを実施するコード命令を含むプログラムコードを格納した非一時的記憶媒体を提供できる。
【０１１２】
本開示は、ソフトウェアによって、ハードウェアによって、またはハードウェアと協働するソフトウェアによって、実施することができる。上述した各実施形態の説明において使用される各機能ブロックは、その一部または全体を、集積回路などのＬＳＩによって実施することができ、各実施形態において説明した各プロセスは、その一部または全体を、同じＬＳＩまたはＬＳＩの組合せによって制御することができる。ＬＳＩは、チップとして個別に形成する、または、機能ブロックの一部またはすべてが含まれるように１個のチップを形成することができる。ＬＳＩは、自身に結合されたデータ入出力部を含むことができる。ＬＳＩは、集積度の違いに応じて、ＩＣ、システムＬＳＩ、スーパーＬＳＩ、またはウルトラＬＳＩとも称される。しかしながら、集積回路を実施する技術は、ＬＳＩに限定されず、専用回路、汎用プロセッサ、または専用プロセッサを使用することによって実施することができる。さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブル・プロセッサを使用することもできる。本開示は、デジタル処理またはアナログ処理として実施することができる。半導体技術または別の派生技術が進歩する結果として、ＬＳＩが将来の集積回路技術に置き換わる場合、その将来の集積回路技術を使用して機能ブロックを集積化することができる。バイオテクノロジを適用することもできる。
【０１１３】
要約すると、例１に従って、通信システムにおいて基地局との間でデータを送信および／または受信するためのユーザ機器であって、動作中に、ページング周期内でページングオケージョンを受信するための既定の時間領域パターンを構成するための少なくとも１つのパラメータを含むページングオケージョン構成を基地局から受信し、この受信されたページングオケージョン構成に従って構成された既定の時間領域パターン内のページングオケージョン内のページング信号の受信を実施する回路を備えたユーザ機器を提供する。
【０１１４】
例２に従えば、例１において、既定の時間領域パターンは、ページングオケージョンがページング周期内の通常のラスタ内にのみ存在できることを規定し、ページングオケージョン構成は、ページングオケージョンの受信が実施されるべきラスタ位置を示している。
【０１１５】
例１または２において、ページングオケージョン構成は、（ｉ）既定の複数のラスタの１つと、（ｉｉ）各１つのラスタタイムポイントについてのそれぞれ１つのビットによって、ページングオケージョンがそのラスタタイムポイントに含まれているか否かを示しているビットマップと、（ｉｉｉ）ページング周期内のラスタポイント数よりも短いショートビットマップであり、周期的に繰り返されると、各１つのラスタタイムポイントについてのそれぞれ１つのビットによって、ページングオケージョンがそのラスタタイムポイントに含まれているか否かを示しているショートビットマップと、のうちの少なくとも１つを示している。
【０１１６】
ラスタタイムポイントは、構成可能なページングオケージョンが同期信号ブロックとオーバーラップしないような、ページング周期内の位置において定義されてもよい。
【０１１７】
既定の時間領域パターンは、ページングオケージョンがページング周期内の均一に分布させられた時間区間内で受信されることを規定してもよく、ページングオケージョン構成は、この均一に分布させられた時間区間の周期性を示していてもよい。
【０１１８】
一例において、その周期性は、受信されたページングオケージョン構成において、ページング周期内のページングオケージョン数として規定されている。
【０１１９】
一部の実施形態において、ページングオケージョンは、同期信号ブロックが送信される周波数サブバンドとオーバーラップしない周波数サブバンド内で送信される。
【０１２０】
代表的な一実施態様に従えば、動作中のユーザ機器の処理回路は、ユーザ機器に固有のページングオケージョン計算に従って、および／または、基地局において設定されたビームスウィープ構成に従って、さらに構成されるページングオケージョン内におけるページング信号の受信を実施する。
【０１２１】
一部の実施形態において、ページングオケージョン構成は、ブロードキャストチャネル内において基地局によってシグナリングされ、ページング周期の開始に対して相対的にオフセットを含んでいる。
【０１２２】
一般的な一例に従って、通信システムにおいてユーザ機器との間でデータを送信および／または受信するための基地局であって、動作中に、ページング周期内でページングオケージョンを受信するための既定の時間領域パターンを構成するための少なくとも１つのパラメータを含むページングオケージョン構成をユーザ機器に送信し、送信されるページングオケージョン構成に従って構成された既定の時間領域パターン内の１つ又は複数のページングオケージョンにおいてページング信号を送信する処理回路を備えた基地局を提供する。
【０１２３】
この一般的な一例において、一実施形態に従えば、既定の時間領域パターンは、ページングオケージョンがページング周期内の通常のラスタ内にのみ存在できることを規定し、ページングオケージョン構成は、ページングオケージョンの受信が実施されるべきラスタ位置を示している。
【０１２４】
このページングオケージョン構成は、（ｉ）既定の複数のラスタの１つと、（ｉｉ）各１つのラスタタイムポイントについてのそれぞれ１つのビットによって、ページングオケージョンがそのラスタタイムポイントに含まれているか否かを示しているビットマップと、（ｉｉｉ）ページング周期内のラスタポイント数よりも短いショートビットマップであり、周期的に繰り返されると、各１つのラスタタイムポイントについてのそれぞれ１つのビットによって、ページングオケージョンがそのラスタタイムポイントに含まれているか否かを示しているショートビットマップと、のうちの少なくとも１つを示していてもよい。
【０１２５】
ラスタタイムポイントは、構成可能なページングオケージョンが同期信号ブロックとオーバーラップしないような、ページング周期内の位置において定義されてもよい。
【０１２６】
この一般的な一例において、一実施形態に従えば、既定の時間領域パターンは、ページングオケージョンがページング周期内の均一に分布させられた時間区間内で送信されることを規定しており、ページングオケージョン構成は、この均一に分布させられた時間区間の周期性を示している。
【０１２７】
この周期性は、送信されるページングオケージョン構成において、ページング周期内のページングオケージョン数として規定されていてもよい。
【０１２８】
さらに、ページングオケージョンは、同期信号ブロックが送信される周波数サブバンドとオーバーラップしない周波数サブバンド内で送信できる。
【０１２９】
一例において、動作中の基地局の処理回路は、ユーザ機器に固有のページングオケージョン計算に従って、および／または、基地局において設定されたビームスウィープ構成に従って、さらに構成されるページングオケージョン内においてページング信号を送信する。
【０１３０】
ページングオケージョン構成は、ブロードキャストチャネル内において基地局によってシグナリングでき、ページング周期の開始に対して相対的にオフセットを含んでいる。
【０１３１】
これらに対応する方法も提供する。一例において、通信システムにおいて基地局との間でデータを送信および／または受信するための方法であって、且つ、ユーザ機器において実施されるべき方法であって、ページング周期内でページングオケージョンを受信するための既定の時間領域パターンを構成するための少なくとも１つのパラメータを含むページングオケージョン構成を基地局から受信するステップと、受信されたページングオケージョン構成に従って構成された既定の時間領域パターン内のページングオケージョン内のページング信号の受信を実施するステップと、を備えた方法を提供する。
【０１３２】
さらに、通信システムにおいてユーザ機器との間でデータを送信および／または受信するための方法であって、且つ、基地局において実施されるべき方法であって、ページング周期内でページングオケージョンを受信するための既定の時間領域パターンを構成するための少なくとも１つのパラメータを含むページングオケージョン構成をユーザ機器に送信するステップと、受信されるページングオケージョン構成に従って構成された既定の時間領域パターン内の１つ又は複数のページングオケージョンにおいてページング信号を送信するステップと、を備えた方法を提供する。
【図１】
2021518074.tif 000003
【図２】
2021518074.tif 000004
【図３Ａ】
2021518074.tif 000005
【図３Ｂ】
2021518074.tif 000006
【図４】
2021518074.tif 000007
【図５】
2021518074.tif 000008
【図６】
2021518074.tif 000009
【図７】
2021518074.tif 000010
【図８】
2021518074.tif 000011
【図９】
2021518074.tif 000012
【図１０】
2021518074.tif 000013
【図１１】
2021518074.tif 000014
【図１２】
2021518074.tif 000015
【図１３】
2021518074.tif 000016
【図１４】
2021518074.tif 000017
【国際調査報告】
2021518074.tif 000018
2021518074.tif 000019